(57)【要約】      （修正有）【課題】回転による切換操作で一つの電動工具を二つの作業に使用できるようにする新規の電動工具のアタッチメントを提供する。【解決手段】カバー体と、出力主軸と同じ直線線上になる状態およびカバー体の着脱操作で同出力主軸の先端に連結・分離する状態にし出力補助軸と、出力補助軸に直交する状態および従動する状態にし支承した従動軸と、従動軸の先端に設けた出力側傘歯車と、従動軸の支承部の外側に支承した回転体と、その周面に設けた反対向き一対の工具取付軸と、各工具取付軸の内端に設けた受力側傘歯車と、各工具取付軸の外端に設けた工具を着脱可能にする工具支持具とを備え、どちらか一方側の工具取付軸に装着した工具の使用可能時には、一方側の受力側傘歯車が出力側傘歯車に噛合した状態を呈した受力側傘歯車が非噛合の状態を呈するようにする 【選択図】図３
0003121769.tif 000002
【実用新案登録請求の範囲】
【請求項１】
電動工具本体部に着脱しうるようにしたカバー体と、カバー体内に上記電動工具本体部の出力主軸と同じ直線線上になる状態およびカバー体の着脱操作で同出力主軸の先端に連結・分離する状態になして設けた出力補助軸と、カバー体の壁に対して上記出力補助軸に直交する状態および伝達用傘歯車装置を介して従動する状態になして支承した従動軸と、従動軸の先端に設けた出力側傘歯車と、従動軸の支承部の外側に同従動軸を中心として回転しうる状態および停止位置を択一に選択維持しうる状態になして支承した回転体と、当該回転体の周面に遠心方向に向く状態になして設けた反対向き一対の工具取付軸と、各工具取付軸の内端に設けた受力側傘歯車と、各工具取付軸の外端に設けた工具を着脱可能に支持する工具支持具とを備え、どちらか一方側の工具取付軸に装着した工具の使用可能時には、当該一方側の工具取付け部の内端に設けた受力側傘歯車が上記出力側傘歯車に噛合した状態を呈し他方側の工具取付け部の内端に設けた受力側傘歯車が非噛合の状態を呈するようにしたことを特徴とする電動工具のアタッチメント。
【考案の詳細な説明】
【技術分野】
【０００１】
本考案は、回転による切換操作で一つの電動工具を二つの作業に使用できるようにする電動工具のアタッチメントに関する。
【背景技術】
【０００２】
従前、電動工具としては、手で持つことができるケース体の先端部に設けられた一つの工具取付け部にドリルビット、ドライバービット等の工具を付け替えて孔開け作業やねじ込み作業をするようにした一作業用タイプのもの（以下、従来例１という）や、特許文献１に開示されている二股に分かれた二つの工具取付け部が設けられている二作業用タイプ（以下、従来例２という）のものが知られている。
【０００３】
そもそも、電動工具を用いて行なう各種の作業は、例えば鉄骨、コンクリート、木材等に孔を開ける等の場合には下孔を開けてから本孔を開ける、あるいはコンクリート、木材にねじを取付ける場合には下孔を開けてからねじをねじ込むというような二段方式で行われることが多い。
【０００４】
しかしながら、従来例１の電動工具により上記のような二段方式の作業を行う場合には、工具取付け部に下孔用のドリルビットと仕上げ用のドリルビットを付け替える作業、あるいは下孔用のドリルビットとドライバービットを付け替える作業を行なわなければならないか、もしくは二台の電動工具を手元に用意しておいて使い分けなければならないという欠点があった。すなわち、従来例１の電動工具による場合には、手間がかかる煩わしい付け替え動作や持ち替え動作が必要であり、作業の能率アップに限界があった。
【０００５】
また、従来例２の電動工具により同様の二段方式の作業を行う場合には、その二個の工具取付け部のそれぞれに後続の作業に必要な下孔用のドリルビット、本孔用のドリルビットあるいはドライバービット等工具を作業前に付けた状態にしてさえあれば、作業中にはチェンジレバーによる切換操作だけで任意に選択して使用することができるから、二段方式作業を流れよく行うことができていた。しかしながら、この従来例２の電動工具によれば上記の従来例１によるような欠陥を解消することができる利点はあるが、構造的に、その工具取付け部の軸心の向きが電動工具の本体部側にある出力軸の軸心の向きに対して傾斜した状態になっているために、本体部側に加えられる作業者の力が工具取付け部の軸心すなわちドリルビットあるいはドライバービットには分力（分散）して加えられる格好になるので、孔明け作業あるいはねじ込み作業を行う場合には、方向を決め整える余分な力が必要で作業し辛く、失敗を起し易いというような欠陥があった。また、孔明け作業あるいはねじ込み作業には、工具取付け部に装着してあるドリルビット、ドライバービット等の工具の一つを使用して行うものであるから、結果として残りのドリルビット、ドライバービット等工具が所謂飛び出して作業の邪魔になる問題もあった。
【特許文献１】特開平９−２９５２８５号公報
【考案の開示】
【考案が解決しようとする課題】
【０００６】
本考案は、以上のような従来の欠点や問題に鑑み、工具取付け部に対するドリルビット、ドライバービット等工具の付替え操作を行わなくとも下孔を開けてから引き続き本孔を開けたり、下孔を開けてからねじをねじ込んだりする等の作業を簡単に且つ流れよくできるようにする新規の電動工具のアタッチメントを提供することを課題とする。
【課題を解決するための手段】
【０００７】
上記課題を達成するために、本考案に係る電動工具のアタッチメントは、電動工具本体部に着脱しうるようにしたカバー体と、カバー体内に上記電動工具本体部の出力主軸と同じ直線線上になる状態およびカバー体の着脱操作で同出力主軸の先端に連結・分離する状態になして設けた出力補助軸と、カバー体の壁に対して上記出力補助軸に直交する状態および伝達用傘歯車装置を介して従動する状態になして支承した従動軸と、従動軸の先端に設けた出力側傘歯車と、従動軸の支承部の外側に同従動軸を中心として回転しうる状態および停止位置を択一に選択維持しうる状態になして支承した回転体と、当該回転体の周面に遠心方向に向く状態になして設けた反対向き一対の工具取付軸と、各工具取付軸の内端に設けた受力側傘歯車と、各工具取付軸の外端に設けた工具を着脱可能に支持する工具支持具とを備え、どちらか一方側の工具取付軸に装着した工具の使用可能時には、当該一方側の工具取付け部の内端に設けた受力側傘歯車が上記出力側傘歯車に噛合した状態を呈し他方側の工具取付け部の内端に設けた受力側傘歯車が非噛合の状態を呈するようにしたことを特徴とするものである。
【０００８】
本考案に係る電動工具のアタッチメントは、電動工具の本体部にカバー体を装着し、一方側および他方側の工具取付け部に作業目的に適合する機能を備えた工具例えばドリルビット、ドライバービットを装着して使用するものである。そして、作業目的に応じて、一方側の工具取付け部に装着した工具を使用できる状態および他方側の工具取付け部に装着した工具を格納状態にする切換操作すなわち回転体を回転させる切換操作を適宜行って使用するようにしたものである。
【０００９】
すなわち、後述するように例えば一方の工具取付け部にドリルビットを装着し他方側の工具取付け部にドライバービットを装着した状態にあっては、ドリルビットにより下孔を開けた直後に回転体に回転操作を加えて切換えることでドライバービットを使用できる状態にし、そして上記下孔にドライバービットによりねじをねじ込む等の作業を行うことができる。
【考案の効果】
【００１０】
本考案に係る電動工具のアタッチメントによれば、下孔を形成したのちに当該下孔にねじをねじ込む場合等のように、続けて２つのビットを用いて二作業を行うときには、ビット等工具の交換作業が不要になるから、結果として流れよく作業を行なうことができる。したがって、効率のよい作業を行なうことができる。また、使用に供するビット等工具の選択は、回転体に回転操作を加える簡単な切換え操作で容易にできる。
【００１１】
また、本考案に係る電動工具のアタッチメントを使用して行う孔開け作業、ねじ込み作業のときには、上記のようにビット等工具が電動工具の出力軸と平行する向きの状態になるようにしてあるので、上記従来例２のような力の分力（分散）がなく、上記したような余分な力を必要としない状態で効果的に作業をすることができるのみならず作業ミスを少なくできる。
【００１２】
さらに、一方側の工具取付け部に装着した工具の使用可能時には他方の工具取付け部に装着した工具がカバー体で隠れた格納の状態を維持するようにしたので、上記力の分力（分散）がない効果的作業を安定してできる。
【００１３】
また、一方側の工具取付け部に装着した工具の使用時には、他方側の工具取付け部に装着した工具に設けた受力側傘歯車が非噛合の状態になり、他方側工具が回転しないので安全である。
【００１４】
さらに、回転体の周面に設けた各工具取付け部には工具を着脱可能に支持する工具支持具を設けたので、ビット等工具の付け替え操作が容易にできる。
【考案を実施するための最良の形態】
【００１５】
以下、本考案の実施の形態に係る電動工具のアタッチメント１を図面に基づいて説明する。なお、図１は要部を拡大して示す一部切截平面図である。図２はドリルビットにより下孔開け作業をできるようにした状態で示す全体の平面図であり、図３は同じく側面図である。図４はドライバービット側に切換えてねじ込み作業をできるようにした状態で示す全体の平面図である。
【００１６】
図１〜４にあって、２は、スイッチのオン・オフ操作で起動・停止ができる電動工具本体部である。この電動工具本体部２は、手で持つことができる握り部３を後端部の下面に有する外装ケース４と、握り部３の下端部に取り付けた蓄電池５と、この蓄電池５から受電して駆動する内蔵モータ（図示せず）と、上記外装ケース４の先端部にその先端が外に突出した状態で有する上記内蔵モータにより駆動する出力主軸６等を備えた構成にされている。
【００１７】
７は、上記電動工具本体部２に着脱しうるようにしたカバー体である。このカバー体７は、上記出力主軸６と単一の直線上になる状態および同出力主軸６の先端に連結・分離しうる状態になして設けた出力補助軸８と、当該カバー体７の壁に対して上記出力補助軸８に直交する状態および常時噛合する傘歯車９a、９bからなる伝達用傘歯車装置９を介して従動する状態になして支承した従動軸１０と、従動軸１０の先端に設けた出力側傘歯車１１と、従動軸１０の支承部１２の外側に同従動軸１０を中心として回転しうる状態および停止位置を択一に選択しうる状態になして支承した回転体１３と、当該回転体１３の周面に上記従動軸１０の半径方向線を中心として回転しうる状態になして設けた反対向き一対の工具取付軸１４a、１４bと、各工具取付軸１４a、１４bの内端に設けた受力側傘歯車１５a、１５bとを備えている。
【００１８】
なお、上記電動工具本体部２に対するカバー体７の着脱および出力主軸６に対する出力補助軸８の連結は、カバー体７の取付操作により自動的に連結状態なり、外し操作により分離するようにしてあるが、その構造は本考案の要点ではないのでその詳細な説明は省略する。
【００１９】
上記の各工具取付軸１４a、１４bには、使用者により任意に異なる工具たとえばドリルビット１６a、ドライバービット１６bが付け替え可能に取付けられ、孔明け作業、ねじ込み作業等に使用できるようにしてある。この場合、図１および図２に示すように、一方側の工具取付軸１４aに装着した工具の使用可能時には、当該一方側の工具取付軸１４aの内端に設けた受力側傘歯車１５aが上記出力側傘歯車１１に噛合した状態を呈し他方側の工具取付軸１４bの内端に設けた受力側傘歯車１５aが非噛合の状態を呈するようにしてある。
【００２０】
１７a、１７bは、上記の各工具取付軸１４a、１４bに取付けられるドリルビット、ドライバービット等工具の工具支持具である。これら各工具支持具１７a、１７bには、工具としてのドリルビットやドライバービット等の付け替えを可能にする、一般に使用されているチャックが用いられている。ここでは当該チャックの詳細な説明は省略する。
【００２１】
１９は、上記回転体１３の停止位置を択一に選択して一つの工具を使用可能位置に維持する選択ピンであり、引出したときには回転体１３の回転を許容し、放したときには回転体１３に設けた凹部２０に嵌合して上記使用可能位置の維持機能を果すようにしてある。
【００２２】
２１は、一方側の工具取付軸に装着した工具の使用可能時には、当該一方側の工具取付け部の内端に設けた受力側傘歯車が上記出力側傘歯車に噛合した状態を呈し、他方側の工具取付け部の内端に設けた受力側傘歯車が非噛合の状態を呈するようにする自動噛合部であり、上記回転体１３の回転動作に連動して噛合およびその解消をなす構成にしてある。
【００２３】
なお、本考案の実施の形態では、工具支持具１７a、１７bとしてチャックを用いているが、本考案はこれに限らず、嵌合固定、磁石嵌合固定、締付け固定等を用いることができ、ドリルビットやドライバービット等工具を着脱可能に固定できる機構であればどんな機構を用いてもよい。
【００２４】
したがって、上記実施の形態に係る電動工具のアタッチメント１は、図２および図３に示すように、工具本体部２にカバー体７を装着してからドリルビット１６aを使用できる状態にしドライバービット１６bを格納の状態にし、然るのちに握り部３を持ち、スイッチ２２をオンの状態にしてドリルビット１６aを回転させることにより下孔を開けることができる。そして、下孔を開けた直後には引き続き回転体１３を回転することによりドライバービット１６bを使用できる状態に切換え、スイッチ２２をオンの状態にして当該ドライバービット１６bにより上記下孔にねじをねじ込む等のことができる。
【００２５】
また、必要に応じて、一方の工具取付軸１４aに下孔用のドリルビットを取付け他方の工具取付軸１４bに本孔用ドリルビットを取付けたときには、下孔を開けた直後に切換え操作を行うことで本孔を開けることができる。また、一方の工具取付軸１４aに大ドライバービットを取付け他方の工具取付軸１４bに小ドライバービットを取付けたときには、大きいねじのねじ込みの後に小さいねじをねじ込んだり、小さいねじのねじ込みの後に大きいねじをねじ込んだりする等の使用ができる。よって、作業者は、例えばドライバービット付きの電動工具とドリルビット付きの電動工具等２つの電動工具を使い分ける必要がなくなり、工具交換の手間から生じていた作業性の悪さが解消でき、顕著な時短ができる。
【００２６】
なお、本考案によれば、上記カバー７は、電動工具本体部２の外装ケース４を以て兼ねる所謂一体構成にすることが容易に可能であるので、本考案に係るアタッチメントの２段階作業対応機能と同様の機能を備えた一体型の電動工具を提供することができる。このように構成された一体型の電動工具にも本考案は及ぶものとする。
【図面の簡単な説明】
【００２７】
【図１】本考案の要部を拡大して示す一部切截平面図である。
【図２】ドリルビットを使用可能にした状態で示す全体の平面図である。
【図３】同じく側面図である。
【図４】ドライバービットを使用可能にした状態で示す全体の平面図である。
【００２８】
１  アタッチメント
２  電動工具本体部
３  握り部
４  外装ケース
５  蓄電池
６  出力主軸
７  カバー体
８  出力補助軸
９  伝達用傘歯車装置
９a、９b傘歯車
１０  従動軸
１１  出力側傘歯車
１２  支承部
１３  回転体
１４a、１４b  工具取付軸
１５a、１５b  受力側傘歯車
１６a  ドリルビット
１６b  ドライバービット
１７a、１７b  工具支持具
１９  選択ピン
２０  凹部
２１  自動噛合部
２２  スイッチ
【図１】
0003121769.tif 000003
【図２】
0003121769.tif 000004
【図３】
0003121769.tif 000005
【図４】
0003121769.tif 000006